(57)【要約】      （修正有）【課題】円錐部の中に物品があっても、外部からはその物品の内容を確認することができ、表示内容を容易に変更することができるコーンを提供する。【解決手段】円錐部の中央周辺に内部を透視できる開口を設け、透視型コーンの円錐部にある中空の中を外部から透視できるようにしたものである。そして、開口の周縁を縁曲げ加工してヒンジ部を設けて透視型コーン本体の強度低下を防止している。そして、該コーンの最上部に設けられた嵌合口に太陽電池を電源とした発光素子による照明装置が装着されており、円錐部にある中空の中を照明できる。さらに、表示内容を担持した表示体で表示する方式の透視型コーンは、表示体を現場で交換だけで表示内容を更新できる。【選択図】  図１１
2006146105.tif 000002
【特許請求の範囲】
【請求項１】
平板の台座に中空の円錐部から成る円錐の筒状の表示具であり、円錐部の中央周辺に開口を２か所以上設けて円錐部にある中空の中を透視できるようにし、開口の周縁を縁曲げ加工してヒンジ部を設けコーン本体の強度を保持できるようにことを特徴とした透視型コーン。
【請求項２】
開口の占める全面積がコーン本体の表面積の２５％以内である前記請求項１記載の透視型コーン。
【請求項３】
円錐筒状で表示内容を担持した表示体を透視型コーンに装着して表示内容を表示するようにした前記請求項１、２記載の透視型コーン。
【請求項４】
コーンの最上面に嵌合口を設け照明装置を嵌合するだけで装着できるようにした前記請求項１、２、３記載の透視型コーン。
【発明の詳細な説明】
【技術分野】
【０００１】  本発明は、工事現場や交通規制区域などで所定の領域を区分するために設置されるコーンに関するもので、さらに詳しくはコーン内部を透視できるようにしたテロ防止対策用の保安用品であるコーンに関する。
【背景技術】
【０００２】  従来のコーンは、平板の台座に中空の円錐部を一体成型して形成されている円錐筒状の表示具であり、道路補修工事現場や交通規制区域などで所定の領域を区分し、危険区域を明確にして人を誘導したり、車両の通行を規制するために使用されるものであり、安全を確保し事故を未然に防ぐという重要な役割を担っている。円錐部の内部を中空にすると、該中空部内に別のコーンの円錐部を差し込むことができるので保管・運搬時などにコンパクトになり便利である。【０００３】  これらのコーンは、内部が中空で比較的軽いので、路上で使用されたとき強風時に移動したり転倒する不具合があり、その対策が提案されている。（特許文献１）
また、夜間時に路上で使用されたときに見えにくくなる不具合を改良するために、中空内部を照明装置で照明し、コーン自体を明るくする提案もなされている。（特許文献２）
さらに、コーンの保管時あるいは運搬時などで表示の破損を防止するために、差し込み・取り外しが自在にできるコーンカバーの提案もなされている。（特許文献３）
【特許文献１】      特開平１１−３６２４３
【特許文献２】      特開平０２−１１７６０３
【特許文献３】      特開２００３−４１５３５
【発明の開示】
【発明が解決しようとする課題】
【０００４】  保安用品であるコーンは、規制する必要のある地域で所定の領域を区分し、危険区城を明確にして人や車両の通行を誘導・規制するのに便利な機能を備えているため、最近では、路上だけではなく屋内外の駐車場や各種イベント会場などで使用されることが多くなった。しかし、コーンの円錐部の内部が中空であるとこの中に物体を設置されても、外部からはその物体を確認する方法がないないので安全対策上危険であり不都合であった。昨今のようにテロ行為が世界的に頻発してると、円錐部にある中空に危険物が仕掛けられても外部からはそれを確認できないことは安全対策からみて問題である。しかし、配備されたコーンを一つずつ持ち上げ中空の中を確認するのは、手間が掛かり面倒であるばかりでなく、持ち上げたことにより起爆装置が起動するかもしれず安全性の面から問題であった。【０００５】  また、各種イベント会場で使用されるとき、表示内容は夫々異なってくるが、その度にコーンを変更するのでは不経済であり不便であった。【０００６】  さらに、照明のないあるいは少ない暗い場所で夜間時使用されるとき、やはり円錐部の中空の中を確認できない不都合を解消する必要があった。【０００７】  本発明は、上記のような事情に鑑みて考案されたもので、本発明の一つの目的は、円錐部にある中空の中を外部から触れることなく確認できる安全なコーンを提供することである。【０００８】  本発明の他の目的は、照明のないあるいは少ない場所で使用されても、外部から容易に円錐部にある中空の中を確認できるようにすることである。【０００９】  本発明の他の目的は、イベント会場が変更となって表示内容を更新することになっても速やかに更新できる表示方式を提供することにある。
本発明のさらなる他の目的は、以下の説明によって明らかになるであろう。
【課題を解決するための手段】
【００１０】  本発明の透視型コーンは、円錐部の中央周辺に内部を透視できる開口を設け、円錐部にある中空の中を四方から透視できるようにしたものである。該開口は、開口の大きさにもよるが２か所では死角が生じるので、３か所以上開口を設けることが好ましい。しかし、開口の面積比率を大きくすると、透視型コーンが上下左右からの押圧に弱くなってしまい強度・耐久性が落ちるので、開口の面積は透視型コーン本体の表面積の２５％以内にとどめることが望ましい。本発明の透視型コーンは、開口の周縁を縁曲げ加工してヒンジ部を設けて透視型コーン本体の強度低下を防止している。当該コーンの開口に設けられたヒンジ部は、開口の周縁に掛かる外力に耐えるので該コーン本体の強度の低下防止に寄与する。開口を適切に設けた透視型コーンは、円錐部の内部にある中空の中を透視できるので、透視型コーン内部に危険物などがあれば、外部から透視できテロ防止対策用の保安用品として有効なものである。【００１１】  本発明の透視型コーンは、最上部に設けられた嵌合口に太陽電池を電源とした照明装置を嵌合してあり、該コーンの円錐部の中空内部を明るく照らせるので、夜間部においても中空の内部を確認できるのでテロ防止対策用の保安用品として使用できるものである。また、嵌合口に嵌合するだけで装着できる照明装置は着脱が自在であり、用途に合わせて使用することができ便利である。【００１２】  本発明の透視型コーンは、表示内容を担持した表示体によって必要事項を表示する方式なので、イベント会場が変更となり表示内容を更新する場合、表示内容を更新した表示体を交換するだけで完了するので経済的である。表示体は、上面と下面を開口した円錐台の筒状のものであり、透視型コーン本体に装着して使用される。
【発明の効果】
【００１３】  本発明の透視型コーンは、
イ。手で触れることなく外部から透視型コーンの円錐部にある中空の中を観察できるので安全でテロ防止対策用の保安用品として有効であり、
ロ。透視型コーンの上面にある嵌合口に装着された照明装置によって中空の中は明るく照らされるので、夜間時においても外部から中空の中を確認できる、
ハ。表示内容を担持した円錐台で筒状の表示体によって必要事項を表示する方式であり、表示体を透視型コーンに装着して使用できるので目的に応じて着脱が自在で便利であり、
ニ。イベント会場が変更になり表示内容を更新する必要が生じた場合、表示内容を担持した表示体を交換するだけで完了するので表示内容の更新が簡便である、
ホ。汎用の原材料で製造できるので安価である、
等の優れた効果を得られるものである。
【発明を実施するための最良の形態】
【００１４】  以下、本発明を図面に示す実施例に基づいて詳細に説明する。
【実施例１】  図１〜４は、従来のコーン２を示しており、図５〜１１は、本発明の透視型コーン１の一実施例を示している。
本発明の透視型コーン１は、図５、６、７、８に示されるように、円錐部の内部を占める中空３であり、該中空３の中を透視できるように円錐部の中央周辺に３個の開口４が設けてあり、上面に嵌合口６を設けて照明装置７を嵌合できるようにしてある。該開口４の周縁は、透視型コーン１本体の強度の低下を防止するために縁曲げ加工によりヒンジ部５が設けられている。本発明の透視型コーン１は、通常のプラスチック製品の加工方法であるインジェクション成型やブロ−成型で成型されるが、開口４周縁のヒンジ部５も同時に加工できるので製造コストは安価である。この実施例では、３個の開口４を設けているが、開口４の大きさも数もこれに限定されることはないのは自明であるが、透視型コーン１本体の強度を保持するために、開口４の面積は、透視型コーン１本体の表面積の２５％以内にすることが望ましい。【００１５】  本発明の透視型コーン１の上面に装着される照明装置７は、太陽電池を電源とするＬＥＤなどの発光素子で構成されている。ＬＥＤなどの発光素子（図示せず）は、３〜６個位で十分な明るさを提供できる。通常の安全灯においては、公共の電力を電源とした照明装置が一般的であるが、電線を敷設しなければならず面倒であり、短期間使用する目的のイベント会場などで使用するにはコスト的にも使い勝手が悪く好ましくない。前記の該照明装置７は、透視型コーン１の上部にある嵌合口６に嵌合するだけで装着できるので、装着・離脱が自在で使い勝手が良い。【００１６】  本発明の透視型コーン１に使用される表示体９は、図９に示されるように、透明で厚さ０、４ｍｍのＰＥＴフイルムを所定の形状に型抜きして表示内容８をスクリーン印刷し、図１０に示されるように筒状に纏められ、両面テープ１０などの手段によって接着され円錐の筒状に成型される。大略が透視型コーン１の外径と同じ寸法である表示体９は、図１１に示されるように、透視型コーン１本体に差し込み取り付けるだけで固定される。表示内容を更新する必要がある場合は、表示体９を取り外し、新しい表示内容８を担持した表示体９を差し込み取り付けるだけで更新できる。また、表示体９は、図９に示されるような平面の状態で運搬することもできのでかさ張らず運搬でき、使用するときも現場で容易に、図１０に示されるように、円錐の筒状に成型され付属の両面テープ１０で固定される。この実施例で表示体９は、厚さ０、４ｍｍのＰＥＴフイルムを使用しているが、透明で強靭なプラスチックフイルムであれば特にこれに限定されることはない。
【産業上の利用可能性】
【００１７】  以上のように本発明の透視型コーン１は、駐車場やイベント会場などで所定の領域を区分するために設置されるテロ防止対策用を目的とした保安用品としてのコーンとして有用である。
【図面の簡単な説明】
【００１８】
【図１】  現在使用されている従来型コーンの一例を示す側面図である。
【図２】  図１のＸ−Ｘ線における断面図である。
【図３】  現在使用されている従来型コーンの一例を示す平面図である。
【図４】  現在使用されている従来型コーンの一例を示す底面図である。
【図５】  本発明の透視型コーンの一実施例を示す側面図である。
【図６】  図５１のＹ−Ｙ線における断面図である。
【図７】  本発明の透視型コーンの一実施例を示す平面図である。
【図８】  本発明の透視型コーンの一実施例を示す底面図である。
【図９】  本発明の透視型コーンにおける表示体の成型前の平面図である。
【図１０】  本発明の透視型コーンの一実施例における表示体を成型・接着し円錐の筒状とした側面図である。
【図１１】  本発明の透視型コーンにおいて、表示体を装着した一実施例を示す側面図である。
【符号の説明】
【００１９】  １    本発明の透視型コーン
３    中空
４    開口
５    ヒンジ部
６    嵌合口
７    照明装置
８    表示内容
９    表示体
【図１】
2006146105.tif 000003
【図２】
2006146105.tif 000004
【図３】
2006146105.tif 000005
【図４】
2006146105.tif 000006
【図５】
2006146105.tif 000007
【図６】
2006146105.tif 000008
【図７】
2006146105.tif 000009
【図８】
2006146105.tif 000010
【図９】
2006146105.tif 000011
【図１０】
2006146105.tif 000012
【図１１】
2006146105.tif 000013